(57)【要約】      （修正有）【課題】ＡＲ用の用紙に書き加えられた秘密のコンテンツを従来よりも安全に保護する。【解決手段】画像形成装置のスキャンユニットによって印刷物５から読み取った画像から、呼出用マーカ５１および追記コンテンツ５３を抽出する。この追記コンテンツ５３をこの呼出用マーカ５１と対応付けてドキュメントサーバに記憶させる。そして、この追記コンテンツ５３を印刷することなく呼出用マーカ５１を他の用紙に印刷することによって、新たな印刷物を生成する。【選択図】図１０
2016099754.tif 000002
【特許請求の範囲】
【請求項１】
記憶手段に識別子と対応付けて記憶されている画像である登録画像のうちの指定された前記識別子に対応する前記登録画像を用紙または当該用紙を撮影した画像に重ねることによって実現されるＡＲ（Augmented Reality）のために用いられるＡＲ用の用紙処理装置であって、
前記用紙から読み取られた画像から前記識別子および当該識別子以外のコンテンツを抽出する、抽出手段と、
抽出された前記コンテンツを前記登録画像として前記識別子と対応付けて記憶手段に記憶させる登録処理手段と、
前記記憶手段に記憶させられた前記コンテンツを印刷することなく前記識別子を他の用紙に印刷することによって印刷物を生成する印刷手段と、
を有することを特徴とするＡＲ用の用紙処理装置。
【請求項２】
抽出された前記コンテンツが前記記憶手段に既に記憶されているか未だ記憶されていないかを判別する判別手段、を有し、
前記登録処理手段は、抽出された前記コンテンツが前記記憶手段に未だ記憶されていないと判別された場合に、当該コンテンツを前記記憶手段に記憶させる、
請求項１に記載のＡＲ用の用紙処理装置。
【請求項３】
抽出された前記コンテンツが前記記憶手段に既に記憶されているか未だ記憶されていないかを判別する判別手段、を有し、
前記印刷手段は、抽出された前記コンテンツが前記記憶手段に未だ記憶されていないと判別されたが前記登録処理手段によって前記記憶手段に記憶させられなかった場合は、当該コンテンツを印刷することなく前記印刷物を生成する、
請求項１に記載のＡＲ用の用紙処理装置。
【請求項４】
前記印刷手段は、抽出された前記コンテンツが前記記憶手段に既に記憶されていると判別された場合は、当該コンテンツを印刷することなく前記印刷物を生成する、
請求項２または請求項３に記載のＡＲ用の用紙処理装置。
【請求項５】
前記印刷手段は、抽出された前記コンテンツが前記記憶手段に既に記憶されていると判別された場合は、前記印刷物を、前記用紙を読み取らせたユーザが当該コンテンツの所有権を有すれば当該コンテンツを印刷することなく生成し、有しなければ当該コンテンツを印刷して生成する、
請求項２または請求項３に記載のＡＲ用の用紙処理装置。
【請求項６】
前記登録処理手段は、抽出された前記コンテンツを、前記ユーザを当該コンテンツの所有者として対応付けて前記記憶手段に記憶させる、
請求項５に記載のＡＲ用の用紙処理装置。
【請求項７】
記憶手段に識別子と対応付けて記憶されている画像である登録画像のうちの指定された前記識別子に対応する前記登録画像を用紙または当該用紙を撮影した画像に重ねることによって実現されるＡＲ（Augmented Reality）のために用いられるＡＲ用の用紙処理方法であって、
前記用紙から読み取られた画像から前記識別子および当該識別子以外のコンテンツを抽出し、
抽出した前記コンテンツを前記登録画像として前記識別子と対応付けて記憶手段に記憶させ、
前記記憶手段に記憶させられた前記コンテンツを印刷することなく前記識別子を他の用紙に印刷することによって印刷物を生成する、
ことを特徴とするＡＲ用の用紙処理方法。
【請求項８】
前記印刷物が生成された後、前記用紙を廃棄する、
請求項７に記載のＡＲ用の用紙処理方法。
【請求項９】
記憶手段に識別子と対応付けて記憶されている画像である登録画像のうちの指定された前記識別子に対応する前記登録画像を用紙または当該用紙を撮影した画像に重ねることによって実現されるＡＲ（Augmented Reality）のために用いられる装置を制御するコンピュータプログラムであって、
前記装置に、
前記用紙から読み取られた画像から前記識別子および当該識別子以外のコンテンツを抽出する処理を実行させ、
抽出した前記コンテンツを前記登録画像として前記識別子と対応付けて記憶手段に記憶させる処理を実行させ、
前記記憶手段に記憶させられた前記コンテンツを印刷することなく前記識別子を他の用紙に印刷することによって印刷物を生成する処理を実行させる、
ことを特徴とするコンピュータプログラム。
【発明の詳細な説明】
【技術分野】
【０００１】
本発明は、ＡＲ（Augmented Reality）の技術に関する。
【背景技術】
【０００２】
近年、ＡＲ（Augmented Reality）の技術が普及し始めている。ＡＲは、一般に「拡張現実」と翻訳される。
【０００３】
ＡＲの技術によると、ＡＲマーカが付されている印刷物をスマートフォンなどで撮影すると、ＡＲマーカに対応するコンテンツが、撮影した印刷物の画像の上に表示される。これにより、現実の空間が拡張したかのようにユーザに感じさせることができる。眼鏡型のウェアラブルコンピュータによっても、同様の効果が得られる。
【０００４】
従来、ＡＲに関する次のような技術が提案されている。特許文献１に記載される画像処理装置は、撮像装置により撮像される入力画像に映る複数のユーザを認識する認識部と、上記認識部により認識される各ユーザと関連付けて表示すべき表示情報を取得する情報取得部と、上記認識部により認識されるユーザごとの重みを決定する重み決定部と、上記重み決定部により決定されるユーザごとの重みに基づいて各ユーザに関連付けられる上記表示情報の表示位置を決定し、決定した上記表示位置において上記表示情報を上記入力画像に重畳することにより出力画像を生成する出力画像生成部と、を有する。
【０００５】
また、コンテンツを管理する技術として、次のような技術が提案されている。特許文献２に記載される描画情報管理装置は、表示部上に表示されたページデータ内の任意の位置に、利用者が手書き入力部を介して入力した描画情報を貼り付けることにより、当該描画情報を記憶部に登録し、描画情報が貼り付けられたページデータとは別のページデータ内の任意の位置に、利用者が記憶部に登録された当該描画情報を貼り付けることにより、描画情報が貼り付けられたページデータと別のページデータとを関連付けたリンク情報を生成し、ページデータまたは別のページデータに貼り付けられた描画情報を利用者が選択することにより、生成されたリンク情報に基づいて、関連付けられたリンク先のページデータまたは別のページデータを表示部上に表示する。
【０００６】
特許文献３に記載される文書管理装置は、文書作成ソフトにて作成された文書の操作処理を行う文書処理部と、注釈やコメントなどを入力する補助文書の操作処理を行う補助文書処理部とを分離して設けると共に２つの処理部をリンク制御し、ユーザパソコンのスクリーン上に、文書表示部と補助文書操作画面表示部を分離して表示する。
【０００７】
特許文献４に記載される文書管理装置は、ネットワークで接続されたサーバ部と端末部とを有する文書管理装置において、端末部に、文書参照用の表示部と、ユーザＩＤや文書ＩＤなどを入力する入力部と、ログイン時にユーザが入力したユーザＩＤをログアウトまで保持するユーザＩＤ保持部と、文書のテキストデータを保持する文書データ保持部と、文書に個人的に添付したマーカやメモのリンク情報を保持する添付情報保持部と、文書のテキストデータにリンク情報を反映させた複合データを保持する複合データ保持部と、文書の版番号を保持する版番号保持部と、端末制御部とを設ける。
【先行技術文献】
【特許文献】
【０００８】
【特許文献１】特開２０１２−５８８３８号公報
【特許文献２】特開２００９−１５７７５４号公報
【特許文献３】特開２００３−６１８６号公報
【特許文献４】特開２０００−３３９２９９号公報
【発明の概要】
【発明が解決しようとする課題】
【０００９】
秘密のコンテンツを用紙に印刷する代わりにそれに対応するＡＲマーカを印刷しておけば、この用紙が紛失されたり盗み見られたりしても、このコンテンツの漏洩を防ぐことができる。
【００１０】
この用紙に新たなコンテンツが書き加えられることがある。このコンテンツが秘密のものである場合であっても、従来の技術では、このコンテンツを保護することができない。
【００１１】
本発明は、このような問題点に鑑み、ＡＲ用の用紙に書き加えられた秘密のコンテンツを従来よりも安全に保護することを、目的とする。
【課題を解決するための手段】
【００１２】
本発明の一形態に係るＡＲ用の用紙処理装置は、記憶手段に識別子と対応付けて記憶されている画像である登録画像のうちの指定された前記識別子に対応する前記登録画像を用紙または当該用紙を撮影した画像に重ねることによって実現されるＡＲ（Augmented Reality）のために用いられるＡＲ用の用紙処理装置であって、前記用紙から読み取られた画像から前記識別子および当該識別子以外のコンテンツを抽出する、抽出手段と、抽出された前記コンテンツを前記登録画像として前記識別子と対応付けて記憶手段に記憶させる登録処理手段と、前記記憶手段に記憶させられた前記コンテンツを印刷することなく前記識別子を他の用紙に印刷することによって印刷物を生成する印刷手段と、を有する。
【００１３】
好ましくは、抽出された前記コンテンツが前記記憶手段に既に記憶されているか未だ記憶されていないかを判別する判別手段、を有し、前記登録処理手段は、抽出された前記コンテンツが前記記憶手段に未だ記憶されていないと判別された場合に、当該コンテンツを前記記憶手段に記憶させる。
【００１４】
または、抽出された前記コンテンツが前記記憶手段に既に記憶されているか未だ記憶されていないかを判別する判別手段、を有し、前記印刷手段は、抽出された前記コンテンツが前記記憶手段に未だ記憶されていないと判別されたが前記登録処理手段によって前記記憶手段に記憶させられなかった場合は、当該コンテンツを印刷することなく前記印刷物を生成する。
【００１５】
または、前記印刷手段は、抽出された前記コンテンツが前記記憶手段に既に記憶されていると判別された場合は、当該コンテンツを印刷することなく前記印刷物を生成する。
【００１６】
または、前記印刷手段は、抽出された前記コンテンツが前記記憶手段に既に記憶されていると判別された場合は、前記印刷物を、前記用紙を読み取らせたユーザが当該コンテンツの所有権を有すれば当該コンテンツを印刷することなく生成し、有しなければ当該コンテンツを印刷して生成する。
【００１７】
または、前記登録処理手段は、抽出された前記コンテンツを、前記ユーザを当該コンテンツの所有者として対応付けて前記記憶手段に記憶させる。
【発明の効果】
【００１８】
本発明によると、ＡＲ用の用紙に書き加えられた秘密のコンテンツを従来よりも安全に保護することができる。
【図面の簡単な説明】
【００１９】
【図１】ドキュメント閲覧システムの全体的な構成の例を示す図である。
【図２】画像形成装置のハードウェア構成の例を示す図である。
【図３】ドキュメントサーバのハードウェア構成の例を示す図である。
【図４】タブレット型端末装置のハードウェア構成の例を示す図である。
【図５】眼鏡型端末装置のハードウェア構成の例を示す図である。
【図６】印刷物の例を示す図である。
【図７】画像形成装置、ドキュメントサーバ、および端末装置の機能的構成の例を示す図である。
【図８】原コンテンツ記憶部に記憶されるデータの例を示す図である。
【図９】追記コンテンツ記憶部に記憶されるデータの例を示す図である。
【図１０】印刷物の例を示す図である。
【図１１】処理方法選択画面の例を示す図である。
【図１２】印刷物の例を示す図である。
【図１３】印刷物の例を示す図である。
【図１４】処理方法選択画面の例を示す図である。
【図１５】印刷物の例を示す図である。
【図１６】処理方法選択画面の例を示す図である。
【図１７】印刷物の例を示す図である。
【図１８】印刷物の例を示す図である。
【図１９】処理方法選択画面の例を示す図である。
【図２０】追記コンテンツ登録プログラムによる全体的な処理の流れの例を説明するフローチャートである。
【発明を実施するための形態】
【００２０】
図１は、ドキュメント閲覧システム１００の全体的な構成の例を示す図である。図２は、画像形成装置１のハードウェア構成の例を示す図である。図３は、ドキュメントサーバ２のハードウェア構成の例を示す図である。図４は、タブレット型端末装置３Ｔのハードウェア構成の例を示す図である。図５は、眼鏡型端末装置３Ｍのハードウェア構成の例を示す図である。図６は、印刷物５の例を示す図である。図７は、画像形成装置１、ドキュメントサーバ２、および端末装置３の機能的構成の例を示す図である。
【００２１】
ドキュメント閲覧システム１００は、図１に示すように、画像形成装置１、ドキュメントサーバ２、端末装置３、および通信回線４などによって構成される。ドキュメント閲覧システム１００は、ドキュメント（文書）に関するデータを管理し、ドキュメントの閲覧のサービスをユーザに提供する。
【００２２】
画像形成装置１、ドキュメントサーバ２、および端末装置３は、通信回線４を介して互いに通信を行うことができる。通信回線４として、インターネット、いわゆるＬＡＮ（Local Area Network）回線、または携帯電話回線などが用いられる。
【００２３】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、大容量記憶装置１０ｄ、タッチパネルディスプレイ１０ｅ、操作キーパネル１０ｆ、ＮＩＣ（Network Interface Card）１０ｇ、モデム１０ｈ、メモリカードリーダライタ１０ｉ、スキャンユニット１０ｊ、およびプリントユニット１０ｋなどによって構成される。
【００２４】
タッチパネルディスプレイ１０ｅは、ユーザに対するメッセージを示す画面、ユーザがコマンドまたは情報を入力するための画面、およびＣＰＵ１０ａなどが実行した処理の結果を示す画面などを表示する。また、タッチパネルディスプレイ１０ｅは、タッチされた位置を示す信号をＣＰＵ１０ａへ送る。
【００２５】
操作キーパネル１０ｆは、いわゆるハードウェアキーボードであって、テンキー、スタートキー、ストップキー、およびファンクションキーなどによって構成される。
【００２６】
ＮＩＣ１０ｇは、ＴＣＰ／ＩＰ（Transmission Control Protocol/Internet Protocol）などのプロトコルによってドキュメントサーバ２または端末装置３と通信を行う。
【００２７】
モデム１０ｈは、ファクシミリ端末との間でＧ３などのプロトコルで画像データをやり取りする。
【００２８】
メモリカードリーダライタ１０ｉは、メモリカードからデータを読み取り、または、メモリカードへデータを書き込む。
【００２９】
スキャンユニット１０ｊは、イメージセンサ、読取用スリット、フラットベッド、およびＡＤＦ（Auto Document Feeder）などによって構成される。ＡＤＦは、用紙がセットされると、それを１枚ずつ読取用スリットへ向けて搬送する。フラットベッドには、用紙がユーザによってセットされる。イメージセンサは、ＡＤＦに用紙がセットされた場合は、用紙が読取用スリットを通過する際に、用紙をスキャンして画像データを生成する。または、フラットベッドに用紙がセットされた場合は、フラットベッドを走査することによって用紙をスキャンして画像データを生成する。
【００３０】
プリントユニット１０ｋは、給紙装置、プリントエンジン、および排紙装置などによって構成される。給紙装置は、プリントエンジンへ用紙を供給する。プリントエンジンは、スキャンユニット１０ｊによって読み取られた画像または他の装置から受信した画像などを用紙に印刷する。排紙装置は、画像が印刷された用紙を排出する。
【００３１】
ＲＯＭ１０ｃまたは大容量記憶装置１０ｄには、上述のコピーなどの機能を実現するためのプログラムが記憶されている。さらに、追記コンテンツ登録プログラム１Ｐが記憶されている。追記コンテンツ登録プログラム１Ｐは、ユーザが用紙に書き加えたコンテンツ（画像）をドキュメントサーバ２へ登録するためのプログラムである。
【００３２】
これらのプログラムは、必要に応じてＲＡＭ１０ｂにロードされ、ＣＰＵ１０ａによって実行される。大容量記憶装置１０ｄとして、ハードディスクまたはＳＳＤ（Solid State Drive）などが用いられる。
【００３３】
ドキュメントサーバ２は、ドキュメントを表示するためのデータを記憶し、適宜、端末装置３へ提供する。さらに、ユーザが書き加えたコンテンツのデータを記憶し、適宜、端末装置３へ提供する。ドキュメントサーバ２として、いわゆるサーバ機が用いられる。または、いわゆるクラウドサーバを用いてもよい。
【００３４】
ドキュメントサーバ２は、図３に示すように、ＣＰＵ２０ａ、ＲＡＭ２０ｂ、ＲＯＭ２０ｃ、大容量記憶装置２０ｄ、およびＮＩＣ２０ｅなどによって構成される。
【００３５】
ＮＩＣ２０ｅは、ＴＣＰ／ＩＰなどのプロトコルによって画像形成装置１または端末装置３と通信を行う。
【００３６】
ＲＯＭ２０ｃまたは大容量記憶装置２０ｄには、ドキュメント管理プログラム２Ｐが記憶されている。ドキュメント管理プログラム２Ｐは、ＲＡＭ２０ｂにロードされ、ＣＰＵ２０ａによって実行される。大容量記憶装置２０ｄとして、ハードディスクまたはＳＳＤなどが用いられる。
【００３７】
端末装置３は、ドキュメントサーバ２から提供されるデータに基づいてドキュメントを表示する。端末装置３として、パーソナルコンピュータ、タブレットコンピュータ、スマートフォン、または眼鏡型コンピュータなどが用いられる。
【００３８】
「眼鏡型コンピュータ」は、ウェアラブルコンピュータの一種であり、グーグル社のグーグルグラスのような、眼鏡のように顔に装着するタイプのコンピュータである。
【００３９】
以下、端末装置３として、タブレットコンピュータまたは眼鏡型コンピュータが用いられる場合を例に説明する。前者および後者をそれぞれ「タブレット型端末装置３Ｔ」および「眼鏡型端末装置３Ｍ」と区別して記載することがある。
【００４０】
タブレット型端末装置３Ｔは、図４に示すように、ＣＰＵ３０ａ、ＲＡＭ３０ｂ、ＲＯＭ３０ｃ、フラッシュメモリ３０ｄ、タッチパネルディスプレイ３０ｅ、操作ボタン群３０ｆ、デジタルカメラ３０ｇ、および無線通信装置３０ｈなどが用いられる。
【００４１】
タッチパネルディスプレイ３０ｅは、フラット型ディスプレイ（例えば、液晶ディスプレイ）およびタッチパネルによって構成される。フラット型ディスプレイは、種々の画像を表示する。特にドキュメントを表示するために用いられる。タッチパネルは、ユーザがタッチした位置を検知し、その位置をＣＰＵ３０ａへ通知する。
【００４２】
操作ボタン群３０ｆは、ホーム画面に戻るためのボタン、何かを確定するためのボタン、音量を調整するためのボタン、および電源のオン／オフを切り換えるためのボタンなどによって構成される。
【００４３】
デジタルカメラ３０ｇは、種々の画像を撮影する。特にドキュメントの閲覧用の用紙を撮影するために用いられる。
【００４４】
無線通信装置３０ｈは、通信回線４を構成する基地局を介してＴＣＰ／ＩＰなどのプロトコルによって画像形成装置１またはドキュメントサーバ２と通信を行う。無線通信装置３０ｈの通信方式として、例えば、Ｗｉ−Ｆｉ、ＬＴＥ（Long Term Evolution）、Ｗ−ＣＤＭＡ（Wideband-Code Division Multiple Access）、またはＰＨＳ（Personal Handy-phone System）などが用いられる。
【００４５】
ＲＯＭ３０ｃまたはフラッシュメモリ３０ｄには、クライアントプログラム３Ｐが記憶されている。クライアントプログラム３Ｐは、ＲＡＭ３０ｂにロードされ、ＣＰＵ３０ａによって実行される。
【００４６】
眼鏡型端末装置３Ｍは、図５に示すように、ＣＰＵ３１ａ、ＲＡＭ３１ｂ、ＲＯＭ３１ｃ、フラッシュメモリ３１ｄ、ディスプレイ３１ｅ、操作ボタン群３１ｆ、デジタルカメラ３１ｇ、および無線通信装置３１ｈなどが用いられる。
【００４７】
ＣＰＵ３１ａ、ＲＡＭ３１ｂ、ＲＯＭ３１ｃ、フラッシュメモリ３１ｄ、ディスプレイ３１ｅ、操作ボタン群３１ｆ、デジタルカメラ３１ｇ、および無線通信装置３１ｈの役割は、それぞれ、タブレット型端末装置３ＴのＣＰＵ３０ａ、ＲＡＭ３０ｂ、ＲＯＭ３０ｃ、フラッシュメモリ３０ｄ、タッチパネルディスプレイ３０ｅ、操作ボタン群３０ｆ、デジタルカメラ３０ｇ、および無線通信装置３０ｈと基本的に同様である。
【００４８】
ただし、画像を再現する方式が、タッチパネルディスプレイ３０ｅとディスプレイ３１ｅとでは、相違する。タッチパネルディスプレイ３０ｅは、上述の通り、液晶ディスプレイのような平面型のディスプレイが用いられる。一方、ディスプレイ３１ｅは、柄の根元に設けられたプロジェクタからレンズの端部付近に設けられたプリズムへ光を発することによって、画像を再現する。
【００４９】
クライアントプログラム３Ｐが、ＲＯＭ３１ｃまたはフラッシュメモリ３１ｄに記憶されており、ＲＡＭ３１ｂにロードされ、ＣＰＵ３１ａによって実行される。
【００５０】
ところで、ドキュメント閲覧システム１００は、ＰＤＦ（Portable Document Format）などのファイルを単に提供するだけでなく、ＡＲ（Augmented Reality）の技術によってドキュメントを再現することができる。この際に、印刷物５が用いられる。印刷物５は、複数のユーザに配付されている。
【００５１】
以下、ある会社においてドキュメント閲覧システム１００が使用される場合を例に説明する。各従業員つまり各ユーザには、予め、ユニークなユーザコードが与えられている。
【００５２】
印刷物５には、図６（Ａ）のように、呼出用マーカ５１が印刷されている。呼出用マーカ５１は、ドキュメントサーバ２からドキュメントを呼び出すためのものである。
【００５３】
ユーザが眼鏡型端末装置３Ｍを掛けて印刷物５を見ると、呼出用マーカ５１に基づいてドキュメントのデータがドキュメントサーバ２からダウンロードされ、図６（Ｂ）のように、例えばグラフなどのドキュメントが印刷物５に印刷されているかのように見える。タブレット型端末装置３Ｔで印刷物５を撮影しながら見た場合も、同様に見える。
【００５４】
このように、ドキュメント閲覧システム１００によると、ＡＲが実現される。呼出用マーカ５１として、ＡＲマーカが用いられる。以下、各呼出用マーカ５１を「呼出用マーカ５１ａ」、「呼出用マーカ５１ｂ」、…と区別して記載することがある。
【００５５】
さらに、ドキュメント閲覧システム１００によると、あるユーザが端末装置３を介して印刷物５を見ながら印刷物５に書き加えたコンテンツを記録しておき、その後に端末装置３を介して印刷物５を見たときに、このコンテンツもドキュメントの一部として印刷されているかのように見せることができる。
【００５６】
以下、ドキュメントを構成するコンテンツ（画像）のうち、予め用意されたコンテンツを「原コンテンツ５２」と記載し、ユーザが印刷物に書き加えたコンテンツを「追記コンテンツ５３」と記載する。また、各原コンテンツ５２を「原コンテンツ５２ａ」、「原コンテンツ５２ｂ」、…と区別して記載し、各追記コンテンツ５３を「追記コンテンツ５３ａ」、「追記コンテンツ５３ｂ」、…と区別して記載することがある。
【００５７】
このようにドキュメントが印刷物５に印刷されているように見える仕組みは、追記コンテンツ登録プログラム１Ｐ、ドキュメント管理プログラム２Ｐ、およびクライアントプログラム３Ｐによって実現される。以下、この仕組みについて、説明する。
【００５８】
追記コンテンツ登録プログラム１Ｐによると、図７に示す印刷物生成部１０１、追記コンテンツ抽出部１０２、処理方法候補決定部１０３、処理方法選択受付部１０４、および登録指令部１０５などの機能が実現される。
【００５９】
ドキュメント管理プログラム２Ｐによると、原コンテンツ記憶部２０１、追記コンテンツ記憶部２０２、呼出用コード送信部２０３、表示用データ送信部２０４、決定用データ送信部２０５、および追記コンテンツ登録部２０６などの機能が実現される。
【００６０】
クライアントプログラム３Ｐによると、表示用データダウンロード部３０１およびドキュメント表示部３０２などの機能が実現される。
【００６１】
〔ドキュメントの閲覧のためのデータおよび印刷物〕
図８は、原コンテンツ記憶部２０１に記憶されるデータの例を示す図である。図９は、追記コンテンツ記憶部２０２に記憶されるデータの例を示す図である。
【００６２】
ドキュメントサーバ２において、原コンテンツ記憶部２０１には、図８に示すように、原コンテンツ５２ごとに、画像データ５７Ｇ、位置データ５７Ｌ、およびメンバデータ５７Ｍが呼出用マーカ５１と対応付けられて記憶される。
【００６３】
画像データ５７Ｇは、その原コンテンツ５２を再現するためのデータである。画像データ５７Ｇのフォーマットとして、例えば、ＧＩＦ（Graphics Interchange Format）またはＪＰＥＧ（Joint Photographic Experts Group）などが用いられる。
【００６４】
位置データ５７Ｌは、印刷物５における、その原コンテンツ５２の位置を示すデータである。基準となる位置（原点）は、用紙の所定の位置、例えば、用紙の左上の角である。
【００６５】
メンバデータ５７Ｍは、この原コンテンツ５２を閲覧することができるユーザのユーザコードを示す。複数のユーザのユーザコードがメンバデータ５７Ｍに示されていてもよい。
【００６６】
これらのデータは、例えば、次のような方法で用意される。ユーザは、パーソナルコンピュータにインストールされている表計算または描画などのアプリケーションで原コンテンツ５２を作成し、そのデータを画像データ５７Ｇとして上記のフォーマットによって保存する。または、デジタルカメラで撮影を行うことによって画像データ５７Ｇを用意し、パーソナルコンピュータに保存する。
【００６７】
さらに、ユーザは、パーソナルコンピュータに原コンテンツ５２の位置と原コンテンツ５２を閲覧することができるユーザのユーザコードとを入力する。例えば、この原コンテンツ５２をプロジェクトで使用する場合は、プロジェクトの構成員のユーザコードを入力する。
【００６８】
そして、ユーザは、保存された画像データ５７Ｇ、入力された位置を示す位置データ５７Ｌ、および入力されたユーザコードを示すメンバデータ５７Ｍをドキュメントサーバ２へアップロードする。
【００６９】
すると、ドキュメントサーバ２において、原コンテンツ記憶部２０１は、ユニークなＡＲコードを、この原コンテンツ５２の呼出用マーカ５１として発行する。そして、この呼出用マーカ５１を、パーソナルコンピュータから送信されてきた画像データ５７Ｇ、位置データ５７Ｌ、およびメンバデータ５７Ｍと対応付けて記憶する。
【００７０】
なお、ユーザは、これらの作業を、パーソナルコンピュータの代わりにタブレット型端末装置３Ｔを使用して行ってもよい。
【００７１】
追記コンテンツ記憶部２０２には、図９に示すように、追記コンテンツ５３ごとに、画像データ５８Ｇ、位置データ５８Ｌ、および所有者データ５８Ｗが、呼出用マーカ５１と対応付けられて記憶される。
【００７２】
呼出用マーカ５１は、その追記コンテンツ５３に対応する原コンテンツ５２のものである。
【００７３】
画像データ５８Ｇは、その追記コンテンツ５３を再現するためのデータであって、画像データ５７Ｇと同様、ＧＩＦまたはＪＰＥＧなどのフォーマットで記述されている。
【００７４】
位置データ５８Ｌは、印刷物５における、その追記コンテンツ５３の位置を示すデータである。ただし、本実施形態では、基準の位置として、呼出用マーカ５１の位置が用いられる。
【００７５】
所有者データ５８Ｗは、その追記コンテンツ５３の所有権を持つユーザ（オーナ）のユーザコードを示すデータである。
【００７６】
なお、原コンテンツ５２が原コンテンツ記憶部２０１に用意された時点では、この原コンテンツ５２に対応する追記コンテンツ５３は未だ印刷物５に書き加えられていないので、この追記コンテンツ５３の画像データ５８Ｇ、位置データ５８Ｌ、および所有者データ５８Ｗは、未だ追記コンテンツ記憶部２０２に記憶されていない。これらのデータを記憶させる処理については、後に説明する。
【００７７】
上述の通り、ユーザは、端末装置３を介して印刷物５を見ることによって原コンテンツ５２を閲覧することができる。そこで、ユーザは、予め印刷物５を入手しておく必要がある。印刷物５は、次のようにして生成される。
【００７８】
ユーザは、画像形成装置１のタッチパネルディスプレイ１０ｅまたは操作キーパネル１０ｆを操作して自分のユーザコードを画像形成装置１に入力する。
【００７９】
すると、印刷物生成部１０１は、ドキュメントサーバ２へ呼出用マーカ５１を要求する。この際に、入力されたユーザコードをドキュメントサーバ２へ送信する。
【００８０】
呼出用コード送信部２０３は、画像形成装置１から送信されてきたユーザコードが示されるメンバデータ５７Ｍを原コンテンツ記憶部２０１から検索し、このメンバデータ５７Ｍが対応付けられている呼出用マーカ５１および位置データ５７Ｌを画像形成装置１へ送信する。
【００８１】
そして、印刷物生成部１０１は、ドキュメントサーバ２から送信されてきた呼出用マーカ５１をプリントユニット１０ｋによって用紙に印刷する。これにより、印刷物５が生成される。ただし、印刷する位置は、送信されてきた位置データ５７Ｌに示される位置である。
【００８２】
ユーザは、複数、印刷物５を生成し、この原コンテンツ５２を閲覧することができる他のユーザに配付してもよい。
【００８３】
なお、後述するように、印刷物生成部１０１は、追記コンテンツ５３がドキュメントサーバ２へ登録される際にも、印刷物５を生成する。
【００８４】
〔原コンテンツ５２のみの閲覧および追記コンテンツ５３の登録〕
図１０は、印刷物５の例を示す図である。図１１は、処理方法選択画面６１の例を示す図である。
【００８５】
まずは、追記コンテンツ５３が未だ登録されていないドキュメントを閲覧する場合の処理および作業と、追記コンテンツ５３を登録する処理および作業とを、説明する。
【００８６】
ユーザは、自分のユーザコードを入力して端末装置３にログインする。端末装置３のデジタルカメラ３０ｇまたは３１ｇを印刷物５の印刷面の方へ向ける。すると、デジタルカメラ３０ｇまたは３１ｇによって印刷面の画像が撮影される。なお、タブレット型端末装置３Ｔにおいては、撮影された画像がタッチパネルディスプレイ３０ｅに表示される。
【００８７】
表示用データダウンロード部３０１は、撮影された画像に呼出用マーカ５１が含まれていると、この呼出用マーカ５１を検知する。そして、この呼出用マーカ５１に対応するコンテンツを、ドキュメントサーバ２に対して要求する。この際に、この呼出用マーカ５１およびこのユーザのユーザコードをドキュメントサーバ２へ送信する。
【００８８】
すると、ドキュメントサーバ２において、表示用データ送信部２０４は、端末装置３から送信されてきた呼出用マーカ５１に対応するメンバデータ５７Ｍに、端末装置３から送信されてきたユーザコードが示されるか否かをチェックする。このユーザコードが示されている場合は、原コンテンツ記憶部２０１に記憶されている、この呼出用マーカ５１に対応する画像データ５７Ｇおよび位置データ５７Ｌを端末装置３へ送信する。もしも、さらに、この呼出用マーカ５１に対応する画像データ５８Ｇおよび位置データ５８Ｌが追記コンテンツ記憶部２０２にも記憶されていれば、これらも端末装置３へ送信するが、本例では未だ追記コンテンツ５３が登録されていないので、送信できない。一方、このユーザコードが示されていない場合は、閲覧の権限（アクセス権）がない旨を端末装置３へ通知する。
【００８９】
そして、端末装置３において、表示用データダウンロード部３０１は、画像形成装置１から画像データ５７Ｇおよび位置データ５７Ｌを受信する。
【００９０】
ドキュメント表示部３０２は、画像データ５７Ｇおよび位置データ５７Ｌが受信（ダウンロード）されると、これらに基づいて原コンテンツ５２をタッチパネルディスプレイ３０ｅまたはディスプレイ３１ｅによって次のように表示する。
【００９１】
タブレット型端末装置３Ｔの場合は、ドキュメント表示部３０２は、デジタルカメラ３０ｇによって撮影されタッチパネルディスプレイ３０ｅによって表示された画像（印刷物５の画像）の中の、呼出用マーカ５１の位置を検知する。そして、この位置を基準として、撮影された画像の上に、この位置データ５７Ｌに示される位置に、この画像データ５７Ｇが表わす原コンテンツ５２を重ねて表示させる。
【００９２】
以上の処理によると、例えば、図６（Ａ）に示した印刷物５の全体が撮影された場合は、図６（Ｂ）に示したように、印刷物５の画像の上に追記コンテンツ５３ａが表示される。
【００９３】
一方、眼鏡型端末装置３Ｍの場合は、ドキュメント表示部３０２は、デジタルカメラ３１ｇによって撮影された画像の中の、呼出用マーカ５１の位置を検知する。そして、この位置を基準として、この位置データ５７Ｌに示される位置に重なって見えるように、この画像データ５７Ｇが表わす原コンテンツ５２をディスプレイ３１ｅに表示させる。
【００９４】
以上の処理によると、例えば、図６（Ａ）に示した印刷物５の全体を、ユーザが眼鏡型端末装置３Ｍを掛けて見た場合は、図６（Ｂ）に示した状態とほぼ同じように、印刷物５が見える。
【００９５】
このように、原コンテンツ５２はデジタルカメラ３０ｇまたは３１ｇを介して実物に対して仮想的に添付される情報であると、言える。このようなコンテンツ（情報）は、一般に「エアタグ」と呼ばれることもある。
【００９６】
ユーザは、端末装置３で原コンテンツ５２を見ながら、ペンを用いて印刷物５にコンテンツを書き加えることができる。書き加えられたコンテンツは、追記コンテンツ５３としてドキュメントサーバ２へ登録される。
【００９７】
以下、登録のための作業および処理を、図１０に示す追記コンテンツ５３ａを登録する場合を例に説明する。
【００９８】
ユーザは、端末装置３で原コンテンツ５２を見ながら、印刷物５に追記コンテンツ５３ａを書き加える。
【００９９】
端末装置３を介して見ているので、ユーザには、図１０（Ａ）のように、原コンテンツ５２ａおよび追記コンテンツ５３ａの両方が印刷物５に記されているように見える。しかし、原コンテンツ５２ａは表示されている画像であって、図１０（Ｂ）のように、実際には、印刷物５に記されていない。
【０１００】
ユーザは、自分のユーザコードを入力して画像形成装置１にログインする。そして、印刷物５をスキャンユニット１０ｊにセットし、所定のコマンドを入力する。
【０１０１】
すると、画像形成装置１において、追記コンテンツ抽出部１０２は、追記コンテンツ５３ａを印刷物５から抽出する処理を、次のように実行する。
【０１０２】
追記コンテンツ抽出部１０２は、印刷物５の印刷面をスキャンユニット１０ｊにスキャンさせる。これにより、呼出用マーカ５１ａおよび追記コンテンツ５３ａが読み取られる。
【０１０３】
そして、追記コンテンツ抽出部１０２は、呼出用マーカ５１ａ以外の部分を追記コンテンツ５３として抽出する。本例では、追記コンテンツ５３ａを抽出する。この際に、追記コンテンツ抽出部１０２は、呼出用マーカ５１を基準とする追記コンテンツ５３の位置を算出する。
【０１０４】
処理方法候補決定部１０３は、抽出された追記コンテンツ５３（本例では、追記コンテンツ５３ａ）に関して行う処理の方法の候補を決定する。ドキュメント閲覧システム１００には、処理の方法として、次の第一の方法および第二の方法が用意されている。
（１）  第一の方法：追記コンテンツ５３を画像形成装置１に登録する。
（２）  第二の方法：追記コンテンツ５３を削除（破棄）する。
【０１０５】
候補の決定の仕方は、次の通りである。処理方法候補決定部１０３は、印刷物５から読み取られた呼出用マーカ５１（本例では、呼出用マーカ５１ａ）をドキュメントサーバ２へ送信することによって、呼出用マーカ５１に対応する追記コンテンツ５３の画像データ５８Ｇを要求する。
【０１０６】
すると、ドキュメントサーバ２において、決定用データ送信部２０５は、送信されてきた呼出用マーカ５１ａに対応する画像データ５８Ｇを追記コンテンツ記憶部２０２から読み出し、端末装置３へ送信する。
【０１０７】
なお、呼出用マーカ５１ａに対応する画像データ５８Ｇが追記コンテンツ記憶部２０２に１つも記憶されていない場合もあれば、複数、記憶されている場合もある。本例では、追記コンテンツ５３ａは未だドキュメントサーバ２に登録されていない。したがって、少なくとも追記コンテンツ５３ａの画像データ５８Ｇは、追記コンテンツ記憶部２０２に記憶されておらず、当然、端末装置３へ送信されない。
【０１０８】
処理方法候補決定部１０３は、送信されてきた画像データ５８Ｇに示されるコンテンツ（画像）と、抽出された追記コンテンツ５３（本例では、追記コンテンツ５３ａ）とを比較する。両者が一致しない場合は、追記コンテンツ５３ａが未だドキュメントサーバ２に登録されていないことが分かる。したがって、追記コンテンツ５３ａをドキュメントサーバ２へ登録する処理と、登録するのを止めて追記コンテンツ５３ａを削除（破棄）する処理とを採り得る。
【０１０９】
そこで、処理方法候補決定部１０３は、両者が一致しない場合は、第一の方法および第二の方法の両方を候補に決定する。両者が一致する場合については、後述する。
【０１１０】
なお、未登録であるか否かを、位置をも考慮して判別してもよい。すなわち、処理方法候補決定部１０３は、画像データ５７Ｇだけでなく位置データ５７Ｌをもドキュメントサーバ２から取得する。そして、画像データ５８Ｇに示されるコンテンツと、抽出された追記コンテンツ５３（本例では、追記コンテンツ５３ａ）とが一致し、かつ、位置データ５８Ｌに示される位置と、追記コンテンツ５３ａの位置とが一致した場合は、追記コンテンツ５３ａがドキュメントサーバ２に既に登録されているものと判別する。コンテンツ同士が一致しても位置同士が一致しない場合は、未だ登録されていないものと判別する。
【０１１１】
処理方法選択受付部１０４は、処理方法候補決定部１０３が決定した候補の中からユーザが所望するものを受け付ける処理を次のように実行する。
【０１１２】
処理方法選択受付部１０４は、処理方法選択画面６１をタッチパネルディスプレイ１０ｅに表示させる。
【０１１３】
処理方法選択画面６１には、図１１に示すように、追記コンテンツ５３ａが配置され、さらに、その右横に、処理方法候補決定部１０３が決定した候補に対応するボタンが配置される。本例では、第一の方法および第二の方法の両方が候補に決定されたので、それぞれに対応するボタンとして、登録ボタン６１ａおよび削除ボタン６１ｂが配置される。
【０１１４】
ユーザは、所望する方法を、それに対応するボタンを押すことによって選択する。すると、処理方法選択受付部１０４は、このボタンに対応する方法を受け付ける。
【０１１５】
登録指令部１０５は、第一の方法が受け付けられた場合すなわち登録ボタン６１ａが押された場合に、呼出用マーカ５１ａ、追記コンテンツ５３ａの画像データ５８Ｇ、追記コンテンツ５３ａの位置を示す位置データ５８Ｌ、およびこのユーザのユーザコードを示す所有者データ５８Ｗを画像形成装置１へ送信するとともに、これらを登録するようにドキュメントサーバ２へ指令する。
【０１１６】
すると、ドキュメントサーバ２において、追記コンテンツ登録部２０６は、送信されてきた画像データ５８Ｇ、位置データ５８Ｌ、および所有者データ５８Ｗを、送信されてきた呼出用マーカ５１ａに対応付けて追記コンテンツ記憶部２０２に記憶させる。これにより、追記コンテンツ５３ａがドキュメントサーバ２に登録される。
【０１１７】
一方、処理方法選択画面６１において削除ボタン６１ｂが押された場合は、ドキュメントサーバ２への追記コンテンツ５３ａの登録を行うことなく、追記コンテンツ５３ａのデータが画像形成装置１から削除される。
【０１１８】
印刷物生成部１０１は、追記コンテンツ５３ａの処理の方法が選択された後、スキャンユニット１０ｊによって図１０（Ｂ）の印刷物５から読み取られた画像を、追記コンテンツ５３を除去して新しい用紙に印刷する。本実施形態では、ドキュメントは呼出用マーカ５１および追記コンテンツ５３のみからなるので、図６（Ａ）のように、呼出用マーカ５１だけが新しい用紙に印刷される。呼出用マーカ５１の印刷の位置は、印刷物５に印刷されていた位置と同じ位置である。印刷物５は、画像形成装置１の傍に設置されているシュレッダなどによって廃棄される。そして、その後は、新しい用紙が印刷物５として用いられる。
【０１１９】
〔原コンテンツ５２および追記コンテンツ５３の閲覧〕
図１２は、印刷物５の例を示す図である。
【０１２０】
次に、既に追記コンテンツ５３が登録されているドキュメントをユーザが閲覧する際の各部の処理およびユーザの作業を、追記コンテンツ５３ａが登録されているドキュメントを図１２（Ａ）の印刷物５を用いて閲覧する場合を例に説明する。
【０１２１】
端末装置３が印刷物５の印刷面を撮影し、呼出用マーカ５１（本例では、呼出用マーカ５１ａ）のドキュメントを要求するまでの処理は、上述の通りである。
【０１２２】
ドキュメントサーバ２において、表示用データ送信部２０４は、呼出用マーカ５１ａに対応するメンバデータ５７Ｍにこのユーザコードが示されていれば、原コンテンツ記憶部２０１に記憶されている、呼出用マーカ５１ａに対応する画像データ５７Ｇおよび位置データ５７Ｌを端末装置３へ送信する。さらに、もしも、呼出用マーカ５１ａに対応する画像データ５８Ｇおよび位置データ５８Ｌが追記コンテンツ記憶部２０２にも記憶されていれば、これらを端末装置３へ送信する。本例では、呼出用マーカ５１ａに対応する画像データ５８Ｇとして、追記コンテンツ５３ａの画像データ５８Ｇおよび位置データ５８Ｌが記憶されているので、これらを端末装置３へ送信する。
【０１２３】
そして、端末装置３において、表示用データダウンロード部３０１は、画像形成装置１から原コンテンツ５２ａの画像データ５７Ｇおよび位置データ５７Ｌと追記コンテンツ５３ａの画像データ５８Ｇおよび位置データ５８Ｌとを受信する。
【０１２４】
ドキュメント表示部３０２は、これらのデータに基づいて原コンテンツ５２ａおよび追記コンテンツ５３ａをタッチパネルディスプレイ３０ｅまたはディスプレイ３１ｅによって表示させる。
【０１２５】
原コンテンツ５２ａの表示の仕方は、前に説明した通りである。追記コンテンツ５３ａの表示の仕方も、原コンテンツ５２ａの表示の仕方と同様である。すなわち、ドキュメント表示部３０２は、端末装置３がタブレット型端末装置３Ｔである場合は、タッチパネルディスプレイ３０ｅによって表示された画像（印刷物５の画像）の中の、呼出用マーカ５１の位置を基準として、追記コンテンツ５３ａの位置データ５８Ｌに示される位置に、追記コンテンツ５３ａを重ねて表示させる。または、端末装置３が眼鏡型端末装置３Ｍである場合は、呼出用マーカ５１の位置を基準として、追記コンテンツ５３ａの位置データ５８Ｌに示される位置に重なって見えるように、追記コンテンツ５３ａを表示させる。
【０１２６】
〔追記コンテンツ５３の二重登録の防止〕
図１３は、印刷物５の例を示す図である。図１４は、処理方法選択画面６１の例を示す図である。
【０１２７】
上述の通り、追記コンテンツ５３がドキュメントサーバ２に登録された後、追記コンテンツ５３が書かれた印刷物５は廃棄され、呼出用マーカ５１のみが印刷された印刷物５が新たに生成される。
【０１２８】
しかし、ユーザが、追記コンテンツ５３が書かれた印刷物５を廃棄することなく所持し続け、さらに別の追記コンテンツ５３を書き加える場合がある。以下、この場合における追記コンテンツ５３の登録の処理を、図１０（Ｂ）に示す印刷物５が廃棄されることなく使用され、新たに追記コンテンツ５３ｂが書き込まれる場合を例に、説明する。
【０１２９】
端末装置３が印刷物５の印刷面を撮影し、呼出用マーカ５１のドキュメントを表示するまでの処理は、上述の通りである。本例では、端末装置３の表示用データダウンロード部３０１およびドキュメント表示部３０２によって、原コンテンツ５２ａおよび追記コンテンツ５３ａが表示される。
【０１３０】
ユーザは、端末装置３を介して印刷物５を見ながら、図１３（Ａ）のように、印刷物５に追記コンテンツ５３ｂを書き加える。このとき、ユーザには、印刷物５が図１３（Ｂ）のように見える。追記コンテンツ５３ａは、印刷物５に既に書かれており、かつ、端末装置３によって表示されるので、二重になって見えることがある。
【０１３１】
そして、ユーザは、上述の通り、自分のユーザコードを入力して画像形成装置１にログインし、印刷物５をスキャンユニット１０ｊにセットして所定のコマンドを入力する。
【０１３２】
すると、追記コンテンツ抽出部１０２は、印刷物５の印刷面をスキャンユニット１０ｊにスキャンさせる。これにより、呼出用マーカ５１ａ、追記コンテンツ５３ａ、および追記コンテンツ５３ｂが読み取られる。追記コンテンツ抽出部１０２は、呼出用マーカ５１ａ以外の部分を追記コンテンツ５３として抽出する。本例では、追記コンテンツ５３ａおよび追記コンテンツ５３ｂが抽出される。さらに、呼出用マーカ５１を基準とする追記コンテンツ５３ａおよび追記コンテンツ５３ｂそれぞれの位置を算出する。
【０１３３】
処理方法候補決定部１０３は、追記コンテンツ５３ａおよび追記コンテンツ５３ｂそれぞれについて、処理の方法の候補を決定する。決定の方法は、基本的に、上に述べた通りである。
【０１３４】
すなわち、処理方法候補決定部１０３は、呼出用マーカ５１ａに対応する追記コンテンツ５３の画像データ５８Ｇをドキュメントサーバ２から取得する。本例では、追記コンテンツ５３ａの画像データ５８Ｇが取得される。そして、取得した画像データ５８Ｇに示されるコンテンツ（画像）と、抽出された追記コンテンツ５３（本例では、追記コンテンツ５３ａおよび追記コンテンツ５３ｂのそれぞれ）とを比較する。
【０１３５】
その結果、追記コンテンツ５３ｂがいずれの画像データ５８Ｇのコンテンツとも一致しないので、未登録の追記コンテンツ５３であることが分かる。そこで、処理方法候補決定部１０３は、追記コンテンツ５３ｂについての候補を第一の方法（登録）および第二の方法（削除）の両方に決定する。
【０１３６】
一方、追記コンテンツ５３ａは、取得したいずれかの画像データ５８Ｇに示されるコンテンツと一致する。したがって、追記コンテンツ５３ａが登録済の追記コンテンツ５３であることが分かる。そこで、処理方法候補決定部１０３は、追記コンテンツ５３ａについての候補を第二の方法のみに決定する。
【０１３７】
なお、上述の通り、さらに位置にも基づいて、追記コンテンツ５３が未登録であるか否かを判別してもよい。
【０１３８】
処理方法選択受付部１０４は、処理方法選択画面６１をタッチパネルディスプレイ１０ｅに表示させ、追記コンテンツ５３の処理の方法の選択を受け付ける。ただし、本例では、追記コンテンツ５３が２つあるので、処理方法選択画面６１には、図１４のように、追記コンテンツ５３ａおよび追記コンテンツ５３ｂそれぞれについて、処理方法候補決定部１０３が決定した候補に対応するボタンが配置される。
【０１３９】
第二の方法のみが候補に決定した追記コンテンツ５３（本例では、追記コンテンツ５３ａ）には、さらに、放置ボタン６１ｃが配置される。
【０１４０】
追記コンテンツ５３ｂについては、上述の通り、対応する登録ボタン６１ａが押された場合は、登録指令部１０５およびドキュメントサーバ２の追記コンテンツ登録部２０６によって、ドキュメントサーバ２への登録の処理が行われる。対応する削除ボタン６１ｂが押された場合は、登録が行われることなく、そのデータが画像形成装置１から削除される。
【０１４１】
一方、追記コンテンツ５３ａについては、削除ボタン６１ｂが押された場合も放置ボタン６１ｃが押された場合も、登録が行われることなく、そのデータが画像形成装置１から削除される。ただし、後述するように、印刷物生成部１０１による処理が相違する。
【０１４２】
追記コンテンツ５３ａおよび追記コンテンツ５３ｂのそれぞれについて、対応するいずれかのボタンが押された後、この印刷物５は、廃棄される。
【０１４３】
印刷物生成部１０１は、次のように画像を用紙に印刷することによって、新たな印刷物５を生成する。
【０１４４】
今回初めて抽出された追記コンテンツ５３（本例では、追記コンテンツ５３ｂ）は、第一の方法および第二の方法のどちらが行われたのかを問わず、印刷されない。一方、スキャン前に既に登録されていた追記コンテンツ５３（本例では、追記コンテンツ５３ａ）は、削除ボタン６１ｂが押された場合は、印刷されない。この場合は、図６（Ａ）に示した印刷物５が生成される。しかし、放置ボタン５３ｄが押された場合は、印刷される。この場合は、図１０（Ｂ）に示した印刷物５が生成される。
【０１４５】
なお、図１４の処理方法選択画面６１に、「上から２つ目の追記コンテンツは既に登録されています。二重登録を避けるために、この追記コンテンツを登録せずに削除してもよろしいですか。」というメッセージをさらに配置してもよい。
【０１４６】
〔削除の制限〕
図１５は、印刷物５の例を示す図である。図１６は、処理方法選択画面６１の例を示す図である。図１７は、印刷物５の例を示す図である。
【０１４７】
上述の例によると、画像形成装置１が印刷物５から読み取った追記コンテンツ５３が既にドキュメントサーバ２に登録されていれば、画像形成装置１にログインしているユーザを問わず、削除することができた。しかし、削除することができるユーザを追記コンテンツ５３の所有者だけに限定してもよい。
【０１４８】
以下、削除の権限を限定する際の処理を、次の場合を例に説明する。図１５（Ａ）に示すように、追記コンテンツ５３ａおよび追記コンテンツ５３ｂが印刷物５に記されているが、両方とも既にドキュメントサーバ２に登録されている。追記コンテンツ５３ａを書き加えたユーザ（所有者）はユーザＵａであるが、追記コンテンツ５３ｂを書き加えたユーザ（所有者）はユーザＵｂである。そして、図１５（Ｂ）に示すように、ユーザＵａが印刷物５に追記コンテンツ５３ｃを書き加え、ドキュメントサーバ２への登録の作業を行う。
【０１４９】
ユーザＵａは、上述の通り、自分のユーザコードを入力して画像形成装置１にログインし、印刷物５をスキャンユニット１０ｊにセットして所定のコマンドを入力する。
【０１５０】
すると、追記コンテンツ抽出部１０２は、上述の方法によって、追記コンテンツ５３として、追記コンテンツ５３ａ、追記コンテンツ５３ｂ、および追記コンテンツ５３ｃを抽出し、これらの位置を抽出する。
【０１５１】
処理方法候補決定部１０３は、これらの追記コンテンツ５３それぞれについて、上述の通り、処理の方法の候補を決定する。これにより、未登録の追記コンテンツ５３つまり追記コンテンツ５３ｃについては、第一の方法（登録）および第二の方法（削除）が候補に決定する。
【０１５２】
一方、登録済の追記コンテンツ５３つまり追記コンテンツ５３ａおよび追記コンテンツ５３ｂについて、本例においては、処理方法候補決定部１０３は、次のように候補を決定する。
【０１５３】
処理方法候補決定部１０３は、それぞれの追記コンテンツ５３の所有者データ５８Ｗをドキュメントサーバ２から取得する。ユーザＵａのユーザコードが所有者データ５８Ｗに示される追記コンテンツ５３（本例では、追記コンテンツ５３ａ）については、削除の権限がユーザＵａにあるものとみなし、第二の方法を候補に決定する。一方、ユーザＵａのユーザコードが所有者データ５８Ｗに示されない追記コンテンツ５３（本例では、追記コンテンツ５３ｂ）については、削除の権限がユーザＵａにないものとみなし、候補がないと、決定する。
【０１５４】
処理方法選択受付部１０４は、処理方法候補決定部１０３による決定の結果に基づいて、処理方法選択画面６１を表示させる。そして、追記コンテンツ５３ａおよび追記コンテンツ５３ｃのボタンの配置は、前述の通りである。一方、追記コンテンツ５３ｂには候補がないので、図１６に示すように、ボタンの代わりに「変更不可」というメッセージ６１ｄを配置する。
【０１５５】
追記コンテンツ５３ａおよび追記コンテンツ５３ｃについての以降の処理は、前に述べた通りであり、ユーザの操作に応じて印刷物生成部１０１によって新しい印刷物５が生成される。
【０１５６】
ユーザＵａが追記コンテンツ５３ａについて削除ボタン６１ｂを押した場合は図１７（Ａ）のような印刷物５が生成され、放置ボタン６１ｃを押した場合は図１７（Ｂ）のような印刷物５が生成される。どちらの場合にも、上述の通り、呼出用マーカ５１ａは印刷されるが、今回新たに登録された追記コンテンツ５３（本例では、追記コンテンツ５３ｃ）は印刷されない。追記コンテンツ５３ｂは、ユーザＵａは所有者ではないので、どちらの場合にも、削除されることなく印刷される。
【０１５７】
〔複数の追記コンテンツ５３が書き加えられた場合〕
図１８は、印刷物５の例を示す図である。図１９は、処理方法選択画面６１の例を示す図である。
【０１５８】
印刷物５に複数の追記コンテンツ５３が一度に書き加えられる場合がある。この場合は、処理方法候補決定部１０３は、それぞれの追記コンテンツ５３について上述の処理を行うことによって、処理の候補を決定する。処理方法選択受付部１０４は、決定に基づいて処理方法選択画面６１を表示する。そして、登録指令部１０５は、ユーザによる選択に応じて、追記コンテンツ５３をドキュメントサーバ２へ登録させる。
【０１５９】
例えば、図１８のように未登録の３つの追記コンテンツ５３ａ、５３ｂ、５３ｃが一度に書き加えられた場合は、処理方法候補決定部１０３は、それぞれについて処理の候補を決定する。処理方法選択受付部１０４は、図１９のような処理方法選択画面６１を表示させ、それぞれの処理方法を受け付ける。そして、登録指令部１０５は、第一の方法が選択された追記コンテンツ５３について、ドキュメントサーバ２への登録の処理を行う。
【０１６０】
〔閲覧の権限がないユーザによる登録の防止〕
原コンテンツ５２を閲覧する権限のないユーザがこの原コンテンツ５２の印刷物５を入手して追記コンテンツ５３を書き込み、ドキュメントサーバ２への登録を行おうとすることがある。上に述べた各実施例によると、この追記コンテンツ５３が登録されてしまう。そこで、画像形成装置１の各部は、次のように処理を行う。
【０１６１】
処理方法候補決定部１０３は、印刷物５からスキャンユニット１０ｊによって呼出用マーカ５１が読み取られると、この呼出用マーカ５１に対応するメンバデータ５７Ｍをドキュメントサーバ２から取得する。
【０１６２】
そして、ログインしたユーザのユーザコードがこのメンバデータ５７Ｍに示されている場合は、処理方法候補決定部１０３は、上述の通りに以降の処理を続ける。
【０１６３】
しかし、示されていない場合は、処理方法候補決定部１０３は、「登録および削除などの編集を行う権限がありません」などのメッセージをタッチパネルディスプレイ１０ｅに表示させ、以降の処理を中止する。
【０１６４】
図２０は、追記コンテンツ登録プログラム１Ｐによる全体的な処理の流れの例を説明するフローチャートである。
【０１６５】
次に、画像形成装置１における全体的な処理の流れを、ユーザＵａが画像形成装置１にログインして作業を行う場合を例に、図２０のフローチャートを参照しながら説明する。画像形成装置１は、追記コンテンツ登録プログラム１Ｐに基づいて次の通り処理を行う。
【０１６６】
画像形成装置１は、印刷物５の印刷面を読み取り（図２０の＃１１）、呼出用マーカ５１および追記コンテンツ５３を抽出する（＃１２）。この際に追記コンテンツ５３それぞれの位置を算出しておく。呼出用マーカ５１に対応するメンバデータ５７Ｍをドキュメントサーバ２から取得し、ユーザＵａに印刷物５の原コンテンツ５２を閲覧する権限があるか否かを、メンバデータ５７ＭにユーザＵａのユーザコードが示されているか否かをチェックすることによって判別する（＃１３）。
【０１６７】
権限がない場合は（＃１４でＮｏ）、画像形成装置１は、追記コンテンツ５３の登録などの処理を中止する（＃１５）。
【０１６８】
権限がある場合は（＃１４でＹｅｓ）、画像形成装置１は、この呼出用マーカ５１に対応付けられている画像データ５８Ｇをドキュメントサーバ２から取得し、これに基づいて、抽出した追記コンテンツ５３ごとに、ドキュメントサーバ２に既に登録されているか未だ登録されていないかを判別する（＃１６）。
【０１６９】
この追記コンテンツ５３が未だ登録されていない場合は（＃１７でＹｅｓ）、画像形成装置１は、この追記コンテンツ５３についての処理方法の候補を、第一の方法（登録）および第二の方法（削除）に決定する（＃１８）。既に追記コンテンツ５３が登録されている場合は（＃１７でＮｏ）、画像形成装置１は、この追記コンテンツ５３の所有者データ５８Ｗをドキュメントサーバ２から取得し、ユーザＵａがこの所有者データ５８Ｗに示されているか否かをチェックすることによって、この追記コンテンツ５３の所有者がユーザＵａであるか否かを判別する（＃１９）。所有者であれば（＃２０でＹｅｓ）、この追記コンテンツ５３についての処理方法の候補を、第二の方法（削除）に決定する（＃２１）。所有者でなければ（＃２０でＮｏ）、この追記コンテンツ５３についての処理方法の候補を決定しない。
【０１７０】
ステップ＃１２において複数の追記コンテンツ５３が抽出された場合は、画像形成装置１は、それぞれについてステップ＃１６〜＃２１の決定の処理を行う。
【０１７１】
画像形成装置１は、ステップ＃１６〜＃２１の決定の処理の結果に基づいて、処理方法選択画面６１を表示する（＃２２）。例えば、追記コンテンツ５３ａ、５３ｂ、５３ｃの３つがステップ＃１２において抽出され、追記コンテンツ５３ａの処理方法の候補が第二の方法に決定し、追記コンテンツ５３ｂの処理方法の候補が決定されず、追記コンテンツ５３ｃの処理方法が第一の方法および第二の方法に決定した場合は、図１６に示したようにオブジェクトを配置した画面を処理方法選択画面６１として表示する。
【０１７２】
そして、画像形成装置１は、ユーザＵａによる処理方法選択画面６１に対する操作に応じて、追記コンテンツ５３を次のように処理する。
【０１７３】
ある追記コンテンツ５３についてユーザＵａが第一の方法（登録）を選択した場合は（＃２３でＹｅｓ）、この追記コンテンツ５３の画像データ５８Ｇ、位置データ５８Ｌ、および所有者データ５８Ｗをドキュメントサーバ２へ送信し、これらを追記コンテンツ記憶部２０２に記憶させる（＃２４）。なお、位置データ５８Ｌには、ステップ＃１２で算出した、この追記コンテンツ５３の位置が示される。所有者データ５８Ｗには、ユーザＵａのユーザコードが示される。
【０１７４】
または、ある追記コンテンツ５３についてユーザＵａが第二の方法（削除）を選択した場合は（＃２３でＮｏ、＃２５でＹｅｓ）、この追記コンテンツ５３を削除し、ドキュメントサーバ２への登録の処理をキャンセルする（＃２６）。なお、「放置」（図１６の放置ボタン６１ｃ）が選択された場合も同様に、この追記コンテンツ５３を削除し、登録の処理をキャンセルする。
【０１７５】
ステップ＃１２において複数の追記コンテンツ５３が抽出された場合は、画像形成装置１は、それぞれについてステップ＃２３〜＃２６の処理を適宜行う。
【０１７６】
以上の処理によって、各追記コンテンツ５３に対する処理が完了する。その後、ユーザＵａは、印刷物５をシュレッダなどによって廃棄する。そして、画像形成装置１は、新しい印刷物５を生成する（＃２５）。新しい印刷物５には、呼出用マーカ５１が印刷される。登録されまたは削除された追記コンテンツ５３は印刷されないが、登録済であるがユーザＵａが所有者でない追記コンテンツ５３、および、登録済であるがユーザＵａが放置ボタン６１ｃを選択した追記コンテンツ５３は印刷される。
【０１７７】
本実施形態によると、印刷物５に書き加えられたコンテンツを従来よりも安全に保護することができる。
【０１７８】
本実施形態では、原コンテンツ５２および追記コンテンツ５３をドキュメントサーバ２が管理したが、画像形成装置１が管理してもよい。この場合は、図７に示した各機能を画像形成装置１に設ければよい。
【０１７９】
または、画像形成装置１が印刷物５をスキャンして得た画像をドキュメントサーバ２へ送信し、追記コンテンツ抽出部１０２および処理方法候補決定部１０３による処理をドキュメントサーバ２に実行させてもよい。
【０１８０】
その他、ドキュメント閲覧システム１００、画像形成装置１、ドキュメントサーバ２、端末装置３の全体または各部の構成、処理内容、処理順序、画面の構成、データの構成などは、本発明の趣旨に沿って適宜変更することができる。
【符号の説明】
【０１８１】
１  画像形成装置（ＡＲ用印刷物処理装置）
１０１  印刷物生成部（印刷手段）
１０２  追記コンテンツ抽出部（抽出手段）
１０３  処理方法候補決定部（判別手段）
１０５  登録指令部（登録処理手段）
１０ｋ  プリントユニット（印刷手段）
２  ドキュメントサーバ（記憶手段）
５  印刷物
５１  呼出用マーカ（識別子）
５３  追記コンテンツ（登録画像、コンテンツ）
【図１】
2016099754.tif 000003
【図２】
2016099754.tif 000004
【図３】
2016099754.tif 000005
【図４】
2016099754.tif 000006
【図５】
2016099754.tif 000007
【図６】
2016099754.tif 000008
【図７】
2016099754.tif 000009
【図８】
2016099754.tif 000010
【図９】
2016099754.tif 000011
【図１０】
2016099754.tif 000012
【図１１】
2016099754.tif 000013
【図１２】
2016099754.tif 000014
【図１３】
2016099754.tif 000015
【図１４】
2016099754.tif 000016
【図１５】
2016099754.tif 000017
【図１６】
2016099754.tif 000018
【図１７】
2016099754.tif 000019
【図１８】
2016099754.tif 000020
【図１９】
2016099754.tif 000021
【図２０】
2016099754.tif 000022